(57)【要約】【課題】固定子鉄心に対して確実で簡単にアース接続できる信頼性の高いモールドモータを提供する。【解決手段】固定子鉄心１と固定子巻線２とを絶縁するインシュレータ３と、インシュレータ３に装着したアース端子４と、モールド樹脂６からアース端子４の出力端部を保護する絶縁キャップ５とを備え、アース端子４のアース端部を固定子鉄心１の外周と導通して接続し、出力端部をモールド外部に露出させた。【選択図】  図１
2004254398.tif 000002
【特許請求の範囲】
【請求項１】
固定子鉄心と固定子巻線とをモールド樹脂で一体成型したモータにおいて、固定子鉄心と固定子巻線とを絶縁するインシュレータと、前記インシュレータに装着したアース端子と、モールド樹脂から前記アース端子の出力端部を保護する絶縁キャップとを備え、前記アース端子のアース端部を前記固定子鉄心の外周と導通して接続し、前記出力端部をモールド外部に露出させたことを特徴とするモールドモータ。
【請求項２】
アース端子の一端を固定子鉄心の外周に溶接により導通固定した請求項１記載のモールドモータ。
【請求項３】
固定子鉄心の外周に凹部を設け、この凹部を溶接個所とした請求項２記載のモールドモータ。
【請求項４】
モールドした固定子の片端部に少なくとも金属製のブラケットを備え、アース端子と前記ブラケットを電気的に接続した請求項１から請求項３のいずれか１項に記載のモールドモータ。
【発明の詳細な説明】
【０００１】
【発明の属する技術分野】
本発明はモールドモータのアース構造に関するものである。
【０００２】
【従来の技術】
モールドモータの固定子は、モールド樹脂で覆われているため、固定子鉄心をアースに接続することが難しく、固定子鉄心に溜まった電荷が軸受を通じて放電し軸受を損傷させるという問題があった。
【０００３】
そこで、従来のモールドモータでは、固定子鉄心にモールド外被よりねじを切り、アースねじを設けた構造（例えば、特許文献１参照）、固定子鉄心に固定ピンを嵌合させ、この固定ピンを絶縁基板を介してアース線に接続し、この固定ピンを絶縁物外部に露出させ、この固定ピンに金属製のブラケットに設けたねじを押し当てて外部にアース接続する構造（例えば、特許文献２参照）が提案されている。
【０００４】
【特許文献１】
特開平７−２９８５４３号公報
【特許文献２】
特開平８−２２３８４５号公報
【０００５】
【発明が解決しようとする課題】
しかしながら、上記従来のアース構造を小型モータに用いると、モールド外被からネジ加工をする際、固定子鉄心が小さく加工により固定子鉄心を突き抜けて巻線を傷つける恐れがあった。
【０００６】
また、固定子鉄心に固定ピンを嵌合させ絶縁基板を介してアース線に接続する構造では、固定子鉄心の外周端面に固定ピンを嵌合させるスペースを確保することが困難であった。
【０００７】
さらに、この固定ピンにネジを押し付ける構造では、樹脂の熱収縮等によりネジと固定ピンの間に隙間ができ、アースを永続的に確実に接続させることは困難であった。
【０００８】
本発明は、上記従来の課題を解決するものであり、固定子鉄心に対して確実で簡単にアース接続できる信頼性の高いモールドモータを提供することを目的とする。
【０００９】
【課題を解決するための手段】
上記従来の課題を解決するために本発明は、固定子鉄心と固定子巻線とを絶縁するインシュレータと、前記インシュレータに装着したアース端子と、モールド樹脂から前記アース端子の出力端部を保護する絶縁キャップとを備え、前記アース端子のアース端部を前記固定子鉄心の外周と導通して接続し、前記出力端部をモールド外部に露出させたもので、信頼性の高いアース構造を備えたモールドモータが得られ、固定子鉄心に溜まった電荷をアース端子を経由して外部アースに導き、軸受が放電により損傷するのを防止できる。
【００１０】
【発明の実施の形態】
上記の課題を解決するために請求項１および請求項２に記載のモールドモータは、固定子鉄心と固定子巻線とをモールド樹脂で一体成型したモータにおいて、固定子鉄心と固定子巻線とを絶縁するインシュレータと、前記インシュレータに装着したアース端子と、モールド樹脂から前記アース端子の出力端部を保護する絶縁キャップとを備え、前記アース端子のアース端部を前記固定子鉄心の外周と導通して接続し、前記出力端部をモールド外部に露出させたもので、あらかじめアース端子をインシュレータに装着固定することで、アース端子の出力端部とアース端部の位置が確実に決まる。また、溶接作業が容易化できるとともに、溶接によりモールド樹脂の流動圧力に耐え、モールド後も確実に接続を確保することができる。このアース端子により、固定子鉄心の電荷を外部アースに導くことができる。
【００１１】
また、請求項３に記載のモールドモータは、上記に加えて、固定子鉄心の外周に凹部を設け、この凹部を溶接箇所としたもので、外力から保護できるとともに、モールドモータの外径が大きくなるのを防止できる。
【００１２】
さらに、請求項４に記載のモールドモータは、上記のモールドした固定子の片端部に少なくとも金属製のブラケットを備え、アース端子と前記ブラケットを電気的に接続したもので、より確実なアース構造が得られる。
【００１３】
【実施例】
以下、本発明の一実施例について、図面を用いて説明する。
【００１４】
図１において、１は固定子鉄心、２は固定子巻線、３はインシュレータ、４はアース端子、５は絶縁キャップ、６はモールド樹脂で、固定子鉄心１と固定子巻線２をモールドして外被を形成するとともに、反負荷側軸受ハウジングも一体成型している。７はアルミ製のブラケットで、負荷側軸受ハウジングと取付フランジを備えている。８は回転子で、シャフト９を一体で備えている。１０は玉軸受、１１はアルミ製のカバー、１２はネジである。
【００１５】
先ず、固定子鉄心１の両端にインシュレータ３を装着して絶縁した後、固定子巻線２を巻装する。その後、インシュレータ３にアース端子４を圧入装着する。
【００１６】
このアース端子４は、モールド外部に露出してアース線との接続に使用される出力端部４ａと、インシュレータ３に圧入装着する嵌合部４ｂと、固定子鉄心１に溶接により電気的に結合するアース端部４ｃとを備えている（図２）。
【００１７】
そして、アース端子４に絶縁キャップ５を被せ、固定子鉄心１と固定子巻線２を樹脂モールドする。
【００１８】
この絶縁キャップ５は、モールド時にモールド樹脂６からアース端子４の出力端部４ａを保護するもので、出力端部４ａと適度なシメシロをもった端子挿入孔を有しており、この嵌合により樹脂モールドしても端子部４ａを外部に露出させることができる。
【００１９】
この露出した出力端部４ａにリード線を接続して外部アースに接続することで固定子鉄心１に溜まった電荷を外部アースに逃がすことができる。
【００２０】
アース用のリード線の接続だけでもよいが、アースをより確実なものにするため、アース端子４の出力端部４ａとカバー１１とを電気的に接続する。
【００２１】
そして、回転子８のシャフト９の両側に玉軸受１０を装着し、モールドした固定子とブラケット７のハウジングで回転自在に支承する。最後にブラケット７とカバー１１とをネジ１２で締結してモールドモータが完成する。
【００２２】
このネジ１２の締結により、固定子鉄心１に接続されたアース端子４とカバー１１およびブラケット７は電気的に接続される。つまり、固定子鉄心１とブラケット７に固定された負荷側軸受１０とは同電位となり、軸受１０を流れる電流をさらに低下させ、軸受が損傷する危険性を低下させることができ、非常に信頼性の高いモールドモータが構成できる。
【００２３】
なお、アース端子４をブラケット７側に設けても実施できる。この場合、カバー１１を省略してもよい。
【００２４】
図３は、アース端子とインシュレータの装着およびアース端子と固定子鉄心の溶接部を示す斜視図である。
【００２５】
インシュレータ３は、アース端子４の嵌合部４ｂが挿入される挿入穴（図示せず）を軸方向に有しており、固定子鉄心１のスロットに合わせて固定される。このため、インシュレータ３に装着したアース端子４は固定子鉄心１との位置が一定となる。
【００２６】
また、固定子鉄心１の外周に凹部（溝）を設けたので溶接箇所に外力が加わりにくく保護できる。また、固定子鉄心１の外周は巻線工程までに汚れやすく、凹部の破断面と溶接するため溶接強度が安定する。さらに、溶接部のモールド外径が大きくなるのを防止できる。
【００２７】
なお、アース端部４ｃと固定子鉄心１の外周に凹部とを溶接により導通固定するが、はんだ付け、ろう付け等の方法を用いても良い。
【００２８】
また、本実施例では、アース端子をモールド樹脂の片端に設けて説明したが、両端に設けてもよい。さらに、反出力軸側にアース端子を設ければ、モータ制御回路部を一体的に設けることが可能となり、回路基板のアース側に容易に接続することができる。
【００２９】
【発明の効果】
上記の実施例から明らかなように請求項１記載の発明によれば、アース端子の一部をインシュレータに装着することで、出力端部とアース端部の位置が決まり、固定子鉄心とアース端子との導通を確実なものにすることができ、モールド工程を容易にすることができる。
【００３０】
また、請求項２記載の発明によれば、アース端子を固定子鉄心の外周に溶接固定したので、モールド後もアース接続を確保できる。
【００３１】
また、請求項３記載の発明によれば、アース接続部の信頼性が向上するとともに、モールド外径が大きくなるのを防止できる。
【００３２】
さらに、請求項４記載の発明によれば、より確実で信頼性の高いアース構造が得られる。
【００３３】
したがって、簡単な構成で信頼性の高いアース構造を備えたモールドモータを得ることができる。
【図面の簡単な説明】
【図１】本発明のモールドモータを示す断面図
【図２】本発明のアース端子を示す斜視図
【図３】本発明の要部を示す斜視図
【符号の説明】
１  固定子鉄心
２  固定子巻線
３  インシュレータ
４  アース端子
４ａ  出力端部
４ｂ  嵌合部
４ｃ  アース端部
５  絶縁キャップ
６  モールド樹脂
７  ブラケット
８  回転子
９  シャフト
１０  玉軸受
１１  カバー
１２  ネジ
【図１】
2004254398.tif 000003
【図２】
2004254398.tif 000004
【図３】
2004254398.tif 000005